(57)【特許請求の範囲】
【請求項１】
光ディスク上の欠陥箇所を検出するためのドロップアウト検出回路を備えた光ディスク装置において、
光ディスク上の情報を再生した再生ＲＦ信号に予め形成されているアドレス情報部を検出して、ＩＤ信号を出力するＩＤ検出回路と、
光ディスク上の情報を再生した再生ＲＦ信号からＤＣ成分を除去するハイパスフィルターと、
上記ハイパスフィルターから出力されたＤＣ成分が除去された再生ＲＦ信号の振幅変動を一定に制御する、上記ＩＤ検出回路から出力されるＩＤ信号により回路電流をＯＦＦすることができるミュート回路付きＡＧＣ回路と、
上記回路電流がＯＦＦされた場合の上記ミュート回路付きＡＧＣ回路の出力電位を、予め設定されている基準電位に固定する電位固定回路と、
上記ミュート回路付きＡＧＣ回路の出力電位のエンベロープの変化からドロップアウトを検出するドロップアウト検出回路と、
上記ドロップアウト検出回路の出力をＩＤ信号によってゲートするゲート回路とを備えた、
ことを特徴とする光ディスク装置。
【請求項２】
請求項１記載の光ディスク装置において、
上記ミュート回路付きＡＧＣ回路は、上記ＩＤ信号に基づいて決定される第１の期間に、その回路内の電流をＯＦＦとして出力電位をハイインピーダンス状態とするものであり、
上記ゲート回路は、上記ＩＤ信号に基づいて決定される第２の期間に、ドロップアウトを非検出とする信号を出力することにより、上記ドロップアウト検出回路の出力をゲートするものである、
ことを特徴とする光ディスク装置。
【請求項３】
請求項２記載の光ディスク装置において、
上記第１の期間は、上記第２の期間より短いことを特徴とする光ディスク装置。
【請求項４】
請求項２記載の光ディスク装置において、
上記第１の期間は、上記ＩＤ信号と、このＩＤ信号を遅延させた信号との論理積により決定される期間であり、
上記第２の期間は、上記ＩＤ信号と、このＩＤ信号を遅延させた信号との論理和により決定される期間である、
ことを特徴とする光ディスク装置。
【請求項５】
請求項１記載の光ディスク装置において、
上記ミュート回路付きＡＧＣ回路の回路電流のＯＦＦは、該ミュート回路付きＡＧＣ回路の電流源を切断することにより行う、
ことを特徴とする光ディスク装置。
【請求項６】
請求項１記載の光ディスク装置において、
上記ＩＤ信号の時間範囲は、アドレス情報部を含み、かつ、その前後の情報の記録領域の一部をも含む、
ことを特徴とする光ディスク装置。
【請求項７】
請求項１記載の光ディスク装置において、
上記ハイパスフィルターは２つの時定数の異なる遮断周波数を有し、情報の記録領域か未記録領域かによって切り替える、
ことを特徴とする光ディスク装置。
【請求項８】
請求項１記載の光ディスク装置において、
上記ハイパスフィルターは２つの時定数の異なる遮断周波数を有し、光ディスクの種類が記録用ディスクか再生用ディスクかによって切り替える、
ことを特徴とする光ディスク装置。
【請求項９】
請求項１記載の光ディスク装置において、
上記ドロップアウト検出回路は、
上記ミュート回路付きＡＧＣ回路の出力電位に対し、放電時定数に応じたエンベロープ検波を行う高速エンベロープ検出回路と、
上記ミュート回路付きＡＧＣ回路の出力電位に対し、放電時定数に応じたエンベロープ検波を行う低速エンベロープ検出回路と、
上記高速エンベロープ検出回路及び低速エンベロープ検出回路に対して与えられる、それぞれの放電時定数を決定する放電電流を切り換える第１放電電流切替回路と、
低速エンベロープ検出回路の出力を所定の電位だけシフトさせるレベルシフト回路と、
該レベルシフト回路の出力と、上記高速エンベロープ検出回路との出力とを比較するコンパレータとを備えた、
ことを特徴とする光ディスク装置。
【請求項１０】
請求項９記載の光ディスク装置において、
上記ドロップアウト検出回路は、上記ＩＤ信号によって上記高速エンベロープ検出回路及び低速エンベロープ検出回路に対して与えられる放電電流を増加させる第２放電電流切替回路を備える、
ことを特徴とする光ディスク装置。
【請求項１１】
請求項１０記載の光ディスク装置において、
上記第２放電電流切替回路の放電電流を増加させる時間は、上記ミュート回路付きＡＧＣ回路の回路電流をＯＦＦする時間と同期している、
ことを特徴とする光ディスク装置。
【請求項１２】
請求項１０記載の光ディスク装置において、
上記第２放電電流切替回路の放電電流は、第１放電電流切替回路の放電電流より大きい、
ことを特徴とする光ディスク装置。
【発明の詳細な説明】
【０００１】
【発明の属する技術分野】
本発明は、光ディスクから再生されるＲＦ信号のエンベロープ変化を検出することで光ディスク上の欠落箇所を検出するドロップアウト検出回路を備える光ディスク装置に関するものである。
【０００２】
【従来の技術】
従来から、ＣＤ−ＲＯＭまたはＤＶＤ−ＲＯＭメディア等の、光ディスク上の欠落箇所を検出する方法は、ドロップアウト検出回路にて、再生されるＲＦ信号のエンベロープ変化を検出するものである。
【０００３】
図９は、従来の光ディスク装置におけるドロップアウト検出回路のブロック図である。また、図１０は、従来の光ディスク装置におけるドロップアウトの検出回路のタイミングチャートである。
図９において、１１はＡＧＣ回路、１２は低速エンベロープ検出回路、１３は高速エンベロープ検出回路、１４はレベルシフト回路、１５は放電電流切替回路、１６はコンパレータである。また、図１０において、２１はＡＧＣ回路から出力されたＲＦ信号、２２は低速エンベロープ回路または高速エンベロープ回路出力、２３はドロップアウト検出信号出力である。
【０００４】
光ディスクより再生されたＲＦ信号はまずＡＧＣ回路１１に入り、ディスク面の全体的な反射むらまたは部分的な反射むらに対して振幅レベルを一定にし、ディスクの反射むらまでエンベロープの変化として検出しないようにする。
【０００５】
その後、高速な時定数を持つエンベロープ検出回路で、ドロップアウトにより生じるエンベロープの急激な変化に対応した信号が出力され、コンパレータ１６に入力される。また、低速な時定数を持つエンベロープ検出回路では、放電時定数が遅いためドロップアウトにより生じる急激な変化に対応せず、ある一定の放電時定数で変化する信号が出力され、レベルシフト回路１４で電圧差を与えられてコンパレータ１６に入力される。この２つの出力をコンパレータ１６で比較することでＲＦ信号の急激な落ち込みであるドロップアウトを検出する。
【０００６】
【発明が解決しようとする課題】
従来、ＣＤ系メディア（例えばＣＤ、ＣＤ−ＲＯＭ、ＣＤ−Ｒ）またはＤＶＤ−ＲＯＭといったメディアのドロップアウトを検出するためのエンベロープ検出回路は、上記ＣＤ系メディアのＲＦ信号が連続的に記録されているため、ＲＦ信号のエンベロープを検出することによりドロップアウトを検出することができる。
しかし、ＤＶＤ−ＲＡＭまたはＰＤメディア等のいわゆるセクターフォーマットになっている記録フォーマットから再生されるＲＦ信号は、連続性が無くセクター毎にアドレス情報部（ＩＤ部）が予め記録されているため、従来の方法ではエンベロープの出力がＩＤ部によって乱れるためドロップアウトの検出が不可能であった。
【０００７】
本発明における光ディスク装置は、上記のような問題を解決するものであり、ＩＤ部が予め記憶されているＲＦ信号に対してもドロップアウトを簡単に安定して検出することができ、安定性の高いＤＶＤ−ＲＡＭといったメディアを記録再生する装置を提供することができる。
【０００８】
【課題を解決するための手段】
本発明（請求項１）による光ディスク装置は、光ディスク上の欠陥箇所を検出するためのドロップアウト検出回路を備えた光ディスク装置において、光ディスク上の情報を再生した再生ＲＦ信号に予め形成されたアドレス情報部を検出して、ＩＤ信号を出力するＩＤ検出回路と、光ディスク上の情報を再生した再生ＲＦ信号からＤＣ成分を除去するハイパスフィルターと、上記ハイパスフィルターから出力されたＤＣ成分が除去された再生ＲＦ信号の振幅変動を一定に制御する、上記ＩＤ検出回路から出力されるＩＤ信号により回路電流をＯＦＦすることができるミュート回路付きＡＧＣ回路と、上記回路電流がＯＦＦされた場合の上記ミュート回路付きＡＧＣ回路の出力電位を、予め設定されている基準電位に固定する電位固定回路と、上記ミュート回路付きＡＧＣ回路の出力電位のエンベロープの変化からドロップアウトを検出するドロップアウト検出回路と、上記ドロップアウト検出回路の出力をＩＤ信号によってゲートするゲート回路とを備えたものである。
【０００９】
本発明（請求項２）による光ディスク装置は、請求項１記載の光ディスク装置において、上記ミュート回路付きＡＧＣ回路は、上記ＩＤ信号に基づいて決定される第１の期間に、その回路内の電流をＯＦＦとして出力電位をハイインピーダンス状態とするものであり、上記ゲート回路は、上記ＩＤ信号に基づいて決定される第２の期間に、ドロップアウトを非検出とする信号を出力することにより、上記ドロップアウト検出回路の出力をゲートするものである。
本発明（請求項３）による光ディスク装置は、請求項２記載の光ディスク装置において、上記第１の期間は、上記第２の期間より短いものである。
本発明（請求項４）による光ディスク装置は、請求項２記載の光ディスク装置において、上記第１の期間は、上記ＩＤ信号と、このＩＤ信号を遅延させた信号との論理積により決定される期間であり、上記第２の期間は、上記ＩＤ信号と、このＩＤ信号を遅延させた信号との論理和により決定される期間であるものである。
【００１０】
本発明（請求項５）による光ディスク装置は、請求項１記載の光ディスク装置において、上記ミュート回路付きＡＧＣ回路の回路電流のＯＦＦは、該ミュート回路付きＡＧＣ回路の電流源を切断することにより行うものである。
【００１１】
本発明（請求項６）による光ディスク装置は、請求項１記載の光ディスク装置において、上記ＩＤ信号の時間範囲は、アドレス情報部を含み、かつ、その前後の情報の記録領域の一部をも含むものである。
【００１３】
本発明（請求項７）による光ディスク装置は、請求項１記載の光ディスク装置において、ハイパスフィルターは２つの時定数の異なる遮断周波数を有し、情報の記録済み領域か未記録領域かによって切り替えるものである。
【００１４】
本発明（請求項８）による光ディスク装置は、請求項１記載の光ディスク装置において、ハイパスフィルターは２つの時定数の異なる遮断周波数を有し、光ディスクの種類が記録用ディスクか再生用ディスクかによって切り替えるものである。
本発明（請求項９）による光ディスク装置は、請求項１に記載の光ディスク装置において、上記ドロップアウト検出回路は、上記ミュート回路付きＡＧＣ回路の出力電位に対し、放電時定数に応じたエンベロープ検波を行う高速エンベロープ検出回路と、上記ミュート回路付きＡＧＣ回路の出力電位に対し、放電時定数に応じたエンベロープ検波を行う低速エンベロープ検出回路と、上記高速エンベロープ検出回路及び低速エンベロープ検出回路に対して与えられる、それぞれの放電時定数を決定する放電電流を切り換える第１放電電流切替回路と、低速エンベロープ検出回路の出力を所定の電位だけシフトさせるレベルシフト回路と、該レベルシフト回路の出力と、上記高速エンベロープ検出回路との出力とを比較するコンパレータとを備えたものである。
【００１５】
本発明（請求項１０）による光ディスク装置は、請求項９記載の光ディスク装置において、上記ドロップアウト検出回路は、上記ＩＤ信号によって上記高速エンベロープ検出回路及び低速エンベロープ検出回路に対して与えられる放電電流を増加させる第２放電電流切替回路を備えたものである。
【００１６】
本発明（請求項１１）による光ディスク装置は、請求項１０記載の光ディスク装置において、第２放電電流切替回路の放電電流を増加させる時間は、上記ミュート回路付きＡＧＣ回路の回路電流をＯＦＦする時間と同期しているものである。
【００１７】
本発明（請求項１２）による光ディスク装置は、請求項１０記載の光ディスク装置において、上記第２放電電流切替回路の放電電流は、第１放電電流切替回路の放電電流より大きいものである。
【００１８】
【発明の実施の形態】
（実施の形態１）
以下に、本発明の請求項１に対応する発明である、実施の形態１の光ディスク装置について、図１を用いて説明する。また、その過程で生じる信号について、図２と図３とを用いて説明する。
【００１９】
図１において、１０１はハイパスフィルター（以下、ＨＰＦと称す）、１０２はミュート回路付きＡＧＣ回路、１０３は電位固定回路、１０４は低速エンベロープ検出回路、１０５は高速エンベロープ回路、１０６はレベルシフト回路、１０７は高速または低速エンベロープ回路の線速に応じて放電電流を切り換える第１放電電流切替回路（以下、第１放電電流切替回路と称す）、１０８はコンパレータ、１０９はゲート回路、１１０はＩＤ検出回路、１１１は遅延回路、１１２はＡＮＤ回路、１１３はＯＲ回路である。また、図２と図３において、１２１はＲＦ信号、１２２は再生ＲＦ信号、１２３はＩＤ信号、１２４は遅延ＩＤ信号、１２５は第１ゲート信号、１２６は第２ゲート信号、１２７はＡＧＣ出力信号、１２８は高速エンベロープ検波出力、１２９は低速エンベロープ検波出力、１３０はレベルシフト回路出力と各コンパレータ入力信号、１３１はコンパレータ出力信号、１３２はドロップアウト検出信号である。
【００２０】
次に動作について説明する。
光ディスクから再生される再生ＲＦ信号１２２は、ＩＤ検出回路１１０に入力され、ＩＤ信号１２３となり出力される。ここでＩＤ信号１２３は、その時間幅がＩＤ部の領域を含み、かつ、その前後の記録領域にかかるものとする。このＩＤ信号１２３は遅延回路１１１によってｔ時間遅延された遅延ＩＤ信号１２４となり、遅延される前のＩＤ信号１２３とともにＡＮＤ回路１１２に入力され、第１ゲート信号１２５を生成する。また、上記遅延ＩＤ信号１２４と上記ＩＤ信号１２３はＯＲ回路１１３に入力され第２ゲート信号１２６を生成する。
【００２１】
また、光ディスクから再生される再生ＲＦ信号１２２はＤＣ成分を含んでいるため、ＨＰＦ１０１によってＤＣ成分を除去した信号であるＲＦ信号１２１がミュート回路付きＡＧＣ回路１０２に入力され、従来の方法と同様に、ＲＦ信号振幅の低い周波数での振幅変動は振幅レベルが一定となり、信号にはディスク上のキズや欠陥または反射膜の欠落によるＲＦ信号の欠落といった急激な反射むらが原因で生じる高い周波数での振幅変化のみが現れる。
【００２２】
ミュート回路付きＡＧＣ回路１０２から出力される信号は、動作基準電圧を中心に出力され、動作基準電圧より電位の高い側が反射信号として明るい側となり、動作基準電圧より電位の低い側が反射信号として低い側となる。
【００２３】
ミュート回路付きＡＧＣ回路１０２におけるミュートは、上記ＩＤ部からの第１ゲート信号１２５によってミュート回路付きＡＧＣ回路１０２の電流源を切りミュート回路付きＡＧＣ回路をミュート状態にすることにより、出力はハイインピーダンス状態になり、電位固定回路内の抵抗と基準電圧とで決定する電位に固定される。ここで、電位固定回路内の基準電圧の電位を、ディスクからの反射信号が暗い側であるミュート付きＡＧＣ回路の動作基準電圧の電位より低い電位に設定することで、固定される電位は反射信号が暗い側に固定され、ドロップアウトの検出に必要な反射信号が明るい側の電位に影響を与えない。
【００２４】
そして、上記第１ゲート信号１２５によってミュートされたＲＦ信号（以下、ＡＧＣ出力信号１２７と称す）は、高速エンベロープ回路１０５または低速エンベロープ回路１０４に入力される。ここで、上記電位固定回路１０３で電位を固定しない場合は、次段回路の影響により電位が上昇または下降するが、電位の上昇することは避けなければならないことは、図３に示したように明白である。
【００２５】
そして、高速エンベロープ回路１０５または低速エンベロープ回路１０４では、それぞれの放電時定数または設定速度に応じてエンベロープ検波を行う。上記放電時定数は第１放電電流切替回路１０７により放電電流を切り替えることで決定し、光ディスクの回転数が高く、早い線速になるほど放電電流は増加するものである。
【００２６】
そして、高速エンベロープ回路１０５または低速エンベロープ回路１０４によってエンベロープ検波された波形が高速エンベロープ検波出力１２８または低速エンベロープ検波出力１２９であり、上記低速エンベロープ検波出力１２９はレベルシフト回路１０６で一定の電位にレベルシフトされてコンパレータ１０８に入力され、高速エンベロープ検波出力１２８と電圧比較されて、コンパレータ出力信号１３１としてゲート回路に入力される。ここで第２ゲート信号１２６と比較されてドロップアウトを検出する。
【００２７】
以上のように、本実施の形態１においては、光ディスク上の情報を再生した再生ＲＦ信号に予め形成されたアドレス情報部を検出するＩＤ検出回路と、光ディスク上の情報を再生した再生ＲＦ信号の高周波成分のみ通過させるためのＨＰＦと、上記再生ＲＦ信号の振幅の低周波成分を一定に制御する、上記ＩＤ検出回路から出力されるＩＤ信号によりミュートするミュート回路付きＡＧＣ回路と、上記ミュート回路付きＡＧＣ回路の電位を、予め設定されている基準電位により固定する電位固定回路と、上記再生ＲＦ信号の上記基準電位より高い電位から生じる、反射信号が明るい側のエンベロープの変化を検出するドロップアウト検出回路と、上記ドロップアウト検出回路の出力をゲートするゲート回路とを備えたことで、ＩＤ部が予め記憶されているＲＦ信号に対しても、簡単で安定なドロップアウト信号を検出することができ、安定性の高いＤＶＤ−ＲＡＭといったメディアを記録再生する装置を提供することができる。
【００２８】
（実施の形態２）
以下に、本発明の請求項８に対応する発明である、実施の形態２の光ディスク装置について、図４を用いて説明する。また、その過程で生じる信号について図５と図６を用いて説明する。
【００２９】
図４において、２０１はＨＰＦ、２０２はミュート回路付きＡＧＣ回路、２０３は電位固定回路、２０４は低速エンベロープ検出回路、２０５は高速エンベロープ回路、２０６はレベルシフト回路、２０７は第１放電電流切替回路、２０８は放電電流を増加させる第２放電電流切替回路（以下、第２放電電流切替回路と称す）、２０９はコンパレータ、２１０はゲート回路、２１１はＩＤ検出回路、２１２は遅延回路、２１３はＡＮＤ回路、２１４はＯＲ回路である。また、図５と図６において、２２１はＲＦ信号、２２２は再生ＲＦ信号、２２３は第１ゲート信号、２２４はＡＧＣ出力信号、２２５は高速エンベロープ検波出力、２２６は低速エンベロープ検波出力、２２７はレベルシフト回路出力と各コンパレータ入力信号、２２８はコンパレータ出力信号、２２９は第２ゲート信号、２３０はドロップアウト検出信号である。
【００３０】
次に動作について説明する。
実施の形態１と同様に、ＲＦ信号２２１は第１ゲート信号２２３によりミュートされるが、ＡＧＣ出力信号２２４は未記録領域では最大ゲインになっており、記録済み領域での平均電位は反射信号が暗い側にシフトし、大きく暗い側に振られた状態で高速エンベロープ回路２０５または低速エンベロープ回路２０４に入力される。
【００３１】
ここで、上記第１放電電流切替回路２０７に加算する形で放電電流を増加させる第２放電電流切替回路２０８を設けて、第１ゲート信号２２３によって放電電流を増加させ、第２放電電流切替回路からの放電電流を第１放電電流切替回路からの放電電流より大きくすることにより、低速エンベロープ検波出力２２６を第１ゲート信号２２３の振幅変化の期間では、上記放電時定数とは違う早い時定数で動作させ、ＩＤ期間内で高速エンベロープ検波出力２２５または低速エンベロープ検波出力２２６の出力をほぼ同じ電位にする。そして、上記実施の形態１と同様の手順でドロップアウトを検出する。
【００３２】
以上のように、本実施の形態２においては、上記ドロップアウト検出回路は、上記ＩＤ信号によって放電電流を増加させる第２放電電流切替回路を備えることで、情報が記録されている領域と記録されていない領域とがある記録用ディスクにおける、未記録領域と記録領域との境で生じる擬似ドロップアウトをなくすことができ、安定性の高いＤＶＤ−ＲＡＭといったメディアを記録再生する装置を提供することができる。
【００３３】
（実施の形態３）
以下に、本発明の請求項６に対応する発明である、実施の形態３の光ディスク装置について、図７を用いて説明する。また、その過程で生じる信号について図８を用いて説明する。
【００３４】
図７において、３０１はスイッチ、３０２は低時定数用コンデンサー、３０３は高時定数用コンデンサー、３０４は抵抗である。また、図８において、３１１は再生ＲＦ信号、３１２は遮断周波数の低いハイパスフィルター通過時のＲＦ信号、３１３は遮断周波数の高いハイパスフィルター通過時のＲＦ信号、３１４は第１ゲート信号、３１５は遮断周波数の低いハイパスフィルター通過時のＡＧＣ出力信号、３１６は遮断周波数の高いハイパスフィルター通過時のＡＧＣ出力信号である。
【００３５】
次に動作について説明する。
実施の形態２と同様に、ＲＦ信号は情報の未記録領域の平均電位と記録領域での平均電位が記録領域では反射信号が暗い側にシフトし、ＤＣ成分を除去するためのＨＰＦによって反射信号が暗い側に過渡的に変化する。
【００３６】
再生ＲＦ信号３１１がＨＰＦに入力された際、抵抗３０４と切り替わる低時定数用コンデンサー３０２または高時定数用コンデンサー３０３の容量とによって遮断周波数を変える。ここで、上記遮断周波数を高くすることで、遮断周波数の高いハイパスフィルター通過時のＲＦ信号３１３のように、記録済み領域突入時の振られが少なくなり、ＡＧＣ出力信号３１６のように振られも改善され、一方、ＣＤ音楽等の回転数の低い再生用ディスクは、ＲＦ信号の欠落や劣化が時間的に長いため、遮断周波数を高くすると、正確にＲＦ信号のエンベロープ状態が現れないため、逆に、上記遮断周波数を低くすることで、遮断周波数の低いハイパスフィルター通過時のＲＦ信号３１２のように、情報の記録領域に突入した時の振られが少なくなり、ＡＧＣ出力信号３１５のように振られも改善される。そして、実施の形態１と同様の手順でドロップアウトを検出する。
【００３７】
また、本実施の形態３では、上記遮断周波数の切り替えを再生する光ディスクの情報の記録領域か未記録領域かによって行っているが、上記遮断周波数の切り替えを光ディスクが記録用ディスクか再生用ディスクかによって行うことも可能である。
【００３８】
以上のように、本実施の形態３においては、ハイパスフィルターが２つの異なる遮断周波数を、情報の記録領域か未記録領域かによって切り換えることで、情報の記録領域と未記録領域との境で生じる疑似ドロップアウトをなくすことができ、安定性の高いＤＶＤ−ＲＡＭといったメディアを記録再生する装置を提供することができる。
【００３９】
【発明の効果】
以上のように、この発明（請求項１）にかかる光ディスク装置によれば、光ディスク上の情報を再生した再生ＲＦ信号に予め形成されたアドレス情報部を検出して、ＩＤ信号を出力するＩＤ検出回路と、光ディスク上の情報を再生した再生ＲＦ信号からＤＣ成分を除去するハイパスフィルターと、上記ハイパスフィルターから出力されたＤＣ成分が除去された再生ＲＦ信号の振幅変動を一定に制御する、上記ＩＤ検出回路から出力されるＩＤ信号により回路電流をＯＦＦすることができるミュート回路付きＡＧＣ回路と、上記回路電流がＯＦＦされた場合の上記ミュート回路付きＡＧＣ回路の出力電位を、予め設定されている基準電位に固定する電位固定回路と、上記ミュート回路付きＡＧＣ回路の出力電位のエンベロープの変化からドロップアウトを検出するドロップアウト検出回路と、上記ドロップアウト検出回路の出力をＩＤ信号によってゲートするゲート回路とを備えることで、ＩＤ部が予め記憶されているＲＦ信号に対しても、簡単で安定なドロップアウト信号の検出を行うことができ、安定性の高いＤＶＤ−ＲＡＭといったメディアを記録再生することができる。
【００４０】
この発明（請求項２）にかかる光ディスク装置によれば、請求項１記載の光ディスク装置において、上記ミュート回路付きＡＧＣ回路は、上記ＩＤ信号に基づいて決定される第１の期間に、その回路内の電流をＯＦＦとして出力電位をハイインピーダンス状態とするものであり、上記ゲート回路は、上記ＩＤ信号に基づいて決定される第２の期間に、ドロップアウトを非検出とする信号を出力することにより、上記ドロップアウト検出回路の出力をゲートするようにしたので、ＩＤ部が予め記憶されているＲＦ信号に対しても、簡単で安定なドロップアウト信号の検出を行うことができ、安定性の高いＤＶＤ−ＲＡＭといったメディアを記録再生することができる。
この発明（請求項３）にかかる光ディスク装置によれば、請求項２記載の光ディスク装置において、上記第１の期間は、上記第２の期間より短いものとしたので、擬似ドロップアウトの発生を防ぐことができる。
この発明（請求項４）にかかる光ディスク装置によれば、請求項２記載の光ディスク装置において、上記第１の期間は、上記ＩＤ信号と、このＩＤ信号を遅延させた信号との論理積により決定される期間であり、上記第２の期間は、上記ＩＤ信号と、このＩＤ信号を遅延させた信号との論理和により決定される期間であるものとしたので、擬似ドロップアウトの発生を防ぐことができる。
【００４１】
この発明（請求項５）にかかる光ディスク装置によれば、請求項１記載の光ディスク装置において、上記ミュート回路付きＡＧＣ回路の回路電流のＯＦＦはＡＧＣ回路の電流源を切断することにより行うことで、電位を反射信号が暗い側に固定することができ、ドロップアウトの検出を容易に行うことができる。
【００４２】
この発明（請求項６）にかかる光ディスク装置によれば、請求項１記載の光ディスク装置において、上記ＩＤ信号の時間範囲は、アドレス情報部を含み、かつ、その前後の記録領域の一部をも含むことで、アドレス情報部の前後の領域から生じる疑似ドロップアウトの検出を防ぐことができる。
【００４４】
この発明（請求項７）にかかる光ディスク装置によれば、請求項１記載の光ディスク装置において、ＨＰＦは２つの時定数の異なる遮断周波数を有し、情報の記録済み領域か未記録領域かによって切り替えることで、情報の記録領域と未記録領域との境で生じる疑似ドロップアウトの発生を防ぐことができる。
【００４５】
この発明（請求項８）にかかる光ディスク装置によれば、請求項１記載の光ディスク装置において、ＨＰＦは２つの時定数の異なる遮断周波数を有し、光ディスクの種類が記録用ディスクか再生用ディスクかによって切り替えることで、光ディスクの種類の違いによって生じる疑似ドロップアウトの発生を防ぐことができる。
この発明（請求項９）にかかる光ディスク装置によれば、請求項１に記載の光ディスク装置において、上記ドロップアウト検出回路は、上記ミュート回路付きＡＧＣ回路の出力電位に対し、放電時定数に応じたエンベロープ検波を行う高速エンベロープ検出回路と、上記ミュート回路付きＡＧＣ回路の出力電位に対し、放電時定数に応じたエンベロープ検波を行う低速エンベロープ検出回路と、上記高速エンベロープ検出回路及び低速エンベロープ検出回路に対して与えられる、それぞれの放電時定数を決定する放電電流を切り換える第１放電電流切替回路と、低速エンベロープ検出回路の出力を所定の電位だけシフトさせるレベルシフト回路と、該レベルシフト回路の出力と、上記高速エンベロープ検出回路との出力とを比較するコンパレータとを備えたことにより、ＩＤ部が予め記憶されているＲＦ信号に対しても、簡単で安定なドロップアウト信号の検出を行うことができ、安定性の高いＤＶＤ−ＲＡＭといったメディアを記録再生することができる。
【００４６】
この発明（請求項１０）にかかる光ディスク装置によれば、請求項９記載の光ディスク装置において、上記ドロップアウト検出回路は、上記ＩＤ信号によって上記高速エンベロープ検出回路及び低速エンベロープ検出回路に対して与えられる放電電流を増加させる第２放電電流切替回路を備えることで、放電電流を増加させて高速エンベロープ検波出力と低速エンベロープ検波出力の電位をほぼ同じにし、ＩＤ部後端でのＲＦ信号の振られによる疑似ドロップアウトの発生を防ぐことができる。
【００４７】
この発明（請求項１１）にかかる光ディスク装置によれば、請求項１０記載の光ディスク装置において、上記第２放電電流切替回路の放電電流を増加させる時間は、上記ミュート回路付きＡＧＣ回路の回路電流をＯＦＦする時間と同期していることで、ミュートする時間に変動が生じた場合においても、ＩＤ部後端での疑似ドロップアウトの発生を防ぐことができる。
【００４８】
この発明（請求項１２）にかかる光ディスク装置によれば、請求項１０記載の光ディスク装置において、上記第２放電電流切替回路の放電電流は、第１放電電流切替回路の放電電流より大きいことで、高速エンベロープ検波出力と低速エンベロープ検波出力の電位がほぼ同じになり、ＩＤ部後端でのＲＦ信号の振られによる疑似ドロップアウトの発生を防ぐことができる。
【図面の簡単な説明】
【図１】本発明の実施の形態１における光ディスク装置におけるドロップアウト検出回路のブロック図。
【図２】本発明の実施の形態１の光ディスク装置におけるドロップアウト検出回路のタイミングチャート図
【図３】本発明の実施の形態１の光ディスク装置におけるドロップアウト検出回路のタイミングチャート図
【図４】本発明の実施の形態２の光ディスク装置におけるドロップアウト検出回路のブロック図。
【図５】本発明の実施の形態２の光ディスク装置におけるドロップアウト検出回路のタイミングチャート図。
【図６】本発明の実施の形態２の光ディスク装置におけるドロップアウト検出回路のタイミングチャート図。
【図７】本発明の実施の形態３の光ディスク装置におけるドロップアウト検出回路のタイミングチャート図。
【図８】本発明の実施の形態３の光ディスク装置におけるドロップアウト検出回路のタイミングチャート図。
【図９】従来の光ディスク装置におけるドロップアウト検出回路のブロック図。
【図１０】従来の光ディスク装置におけるタイミングチャート図。
【符号の説明】
１０１  ハイパスフィルター
１０２  ミュート回路付きＡＧＣ回路
１０３  電位固定回路
１０４  低速エンベロープ検出回路
１０５  高速エンベロープ検出回路
１０６  レベルシフト回路
１０７  高速エンベロープ回路または低速エンベロープ検出回路の線速に応じて放電電流を切り換える放電電流切替回路（第１放電電流回路）
１０８  コンパレータ
１０９  ゲート回路、
１１０  ＩＤ検出回路
１１１  遅延回路
１１２  ＡＮＤ回路
１１３  ＯＲ回路
１２１  ＲＦ信号
１２２  再生ＲＦ信号
１２３  ＩＤ信号
１２４  遅延ＩＤ信号
１２５  第１ゲート信号
１２６  第２ゲート信号
１２７  ＡＧＣ出力信号
１２８  高速エンベロープ検波出力
１２９  低速エンベロープ検波出力
１３０  レベルシフト回路出力と各コンパレータ入力信号
１３１  コンパレータ出力信号
１３２  ドロップアウト検出信号
【図１】
0003557388.tif 000002
【図２】
0003557388.tif 000003
【図３】
0003557388.tif 000004
【図４】
0003557388.tif 000005
【図５】
0003557388.tif 000006
【図６】
0003557388.tif 000007
【図７】
0003557388.tif 000008
【図８】
0003557388.tif 000009
【図９】
0003557388.tif 000010
【図１０】
0003557388.tif 000011